(57)【要約】  【課題】不正行為によるコイン投入の誤検出を防止することにある。  【解決手段】２連透過型フォトセンサ部１の第１透過型フォトセンサ１１の第１発光素子１１１から所定周期で点滅する変調光を出力させる駆動部２と、第１透過型フォトセンサ１１を構成する第１発光素子１１１と対の第１受光素子１１２で受光した光から前記所定周期の変調光を検出する第１検出部３１と、を有する。  【選択図】図１
0003122278.tif 000002
【実用新案登録請求の範囲】
【請求項１】
２連透過型フォトセンサを備えたコイン検知センサであって、
前記２連透過型フォトセンサのうちの少なくとも１つの透過型フォトセンサの発光素子から所定周期で点滅する変調光を出力させる駆動手段と、
前記少なくとも１つの透過型フォトセンサの受光素子で受光した光から前記所定周期の変調光を検出する検出手段と、を有すること
を特徴とするコイン検知センサ
【請求項２】
請求項１に記載のコイン検知センサであって、
前記駆動手段は、
前記２連透過型フォトセンサの一方の透過型フォトセンサの発光素子から、第１の所定周期で点滅する変調光を出力させるとともに、前記２連透過型フォトセンサの他方の透過型フォトセンサの発光素子から、第２の所定周期で点滅する変調光を出力させ、
前記検出手段は、
前記一方の透過型フォトセンサの受光素子で受光した光から、前記第１の所定周期の変調光を検出し、前記他方の透過型フォトセンサの受光素子で受光した光から、前記第２の所定周期の変調光を検出すること
を特徴とするコイン検知センサ。
【請求項３】
請求項１に記載のコイン検知センサであって、
前記検出手段は、
前記受光素子で受光した光から前記所定周期以外の変調光を検出すること
を特徴とするコイン検知センサ。
【請求項４】
請求項２に記載のコイン検知センサであって、
前記検出手段は、
前記一方の透過型フォトセンサの前記受光素子で受光した光から前記第１の所定周期以外の変調光を検出すること
を特徴とするコイン検知センサ。
【請求項５】
請求項３に記載のコイン検知センサであって、
前記検出手段で前記所定周期以外の変調光を検出した場合、警報を鳴らすための警報信号を警報機器に出力する手段を有すること
を特徴とするコイン検知センサ。
【請求項６】
請求項４に記載のコイン検知センサであって、
前記検出手段で前記第１の所定周期以外の変調光を検出した場合、警報を鳴らすための警報信号を警報機器に出力する手段を有すること
を特徴とするコイン検知センサ。
【考案の詳細な説明】
【技術分野】
【０００１】
本考案は、２連透過型フォトセンサに関し、特にコイン検知フォトセンサの技術に関する。
【背景技術】
【０００２】
従来より、２連透過型フォトセンサが知られている。この２連透過型フォトセンサは、例えば、自動販売機等に投入されるコインを検知するために用いられる。フォトセンサを２つ備えているため、各フォトセンサでのコイン検知タイミングのずれを検出することにより、コインの有無のみならず、コインの移動方向も検知することができる。したがって、この２連透過型フォトセンサを自動販売機等に用いてコインの移動方向を検出することにより、単独の透過型フォトセンサでは検知することができなかった不正行為、例えばコインに紐を付けてコインをコイン投入口に投入し、紐を操作してコインを投入口から出し入れすることでコイン投入数を自動販売機に誤検出させるような行為を検出することが可能となる。
【考案の開示】
【考案が解決しようとする課題】
【０００３】
上記従来の２連透過型フォトセンサは、上述したようなコインを使った不正行為を検出できる。しかし、図５に示すような特殊な不正器具を用いた不正行為を検出することができない。
【０００４】
図５に示す不正器具は、コインと約同じ厚みを持つ板状部材５１に、２個の発光素子５２が埋設されて構成されている。２個の発光素子５２は、２連透過型フォトセンサの配列と同じように配列されており、それぞれ、図示していない信号線により電源供給が制御され、これにより発光が制御される。
【０００５】
さて、この２連透過型フォトセンサが採用された自動販売機等に対して不正行為を行おうとする者は、２個の発光素子５２が設けられている面が、この２連透過型フォトセンサが有する２個の受光素子と対向するようにして、この不正器具をコイン投入口に挿入する。そして、２個の発光素子５２が該２個の受光素子と対向する位置でこの不正器具を保持する。それから、２個の発光素子を交互に発光させ、これを該２個の受光素子で検知させることで、あたかも複数のコインが続けて投入されたように、２連透過型フォトセンサに誤検出させる。
【０００６】
具体的には、先ず、コイン投入口側（手前）の発光素子５２を点灯させ、所定時間経過後に奥側の発光素子５２を点灯させる。この場合、２連透過型フォトセンサは、不正器具の挿入により手前の受光素子、奥側の受光素子の順番で遮蔽物を検出し、２個の発光素子５２の時間差点灯により手前の受光素子、奥側の受光素子の順番で遮蔽物の通過を検出する。これにより、２連透過型フォトセンサは、１枚目のコインが投入されたものと誤検出する。次に、不正行為者は、手前の発光素子５２を消灯させ、所定時間後に奥側の発光素子５２を消灯させる。それから、不正行為者は、手前の発光素子５２を点灯させ、所定時間経過後に奥側の発光素子５２を点灯させる。この場合、２連透過型フォトセンサは、２個の発光素子５２の時間差消灯により手前の受光素子、奥側の受光素子の順番で遮蔽物を検出し、２個の発光素子５２の時間差点灯により手前の受光素子、奥側の受光素子の順番で遮蔽物の通過を検出する。これにより、２連透過型フォトセンサは、２枚目のコインが投入されたものと誤検出する。以降、同じ操作を繰り返すことで、２連透過型フォトセンサに３枚目以降のコインの投入を誤検出させる。
【０００７】
本考案は上記事情に鑑みてなされたものであり、本考案の目的はこのような不正行為によるコイン投入の誤検出を防止することにある。
【課題を解決するための手段】
【０００８】
上記課題を解決するために本考案は、コイン検知センサとして２連透過型を用いる。そして、この２連透過型フォトセンサの少なくとも１つで、所定周期で点滅する変調光を検出する。
【０００９】
例えば本考案は、２連透過型フォトセンサを備えたコイン検知センサであって、前記２連透過型フォトセンサのうちの少なくとも１つの透過型フォトセンサの発光素子から所定周期で点滅する変調光を出力させる駆動手段と、前記少なくとも１つの透過型フォトセンサを構成する前記発光素子と対の受光素子で受光した光から前記所定周期の変調光を検出する検出手段と、を有する。
【考案の効果】
【００１０】
本考案によれば、２つの透過型フォトセンサのうちの少なくとも１つで、所定周期の変調光を検出するようにしたので、図５に示したような不正器具を用いた不正行為がなされた場合でも、該不正器具に埋設された発光素子がこの所定周期の変調光を出力しない限り、コイン投入の誤検出を防止できる。
【考案を実施するための最良の形態】
【００１１】
以下、本考案の一実施形態について説明する。
【００１２】
図１は本考案の一実施形態が適用されたコイン検知センサの概略ブロック図である。図示するように、本実施形態のコイン検知センサは、２連透過型フォトセンサ部１と、駆動部２と、検出部３と、を有する。
【００１３】
２連透過型フォトセンサ部１は、例えば自動販売機等のコイン投入口に設置されるものであり、第１発光素子１１１および第１受光素子１１２からなる第１透過型フォトセンサ１１と、第２発光素子１２１および第２受光素子１２２からなる第２透過型フォトセンサ１２と、を有する。第１透過型フォトセンサ１１および第２透過型フォトセンサ１２は、投入されたコインの通過を検知できるように並べて配置されている。
【００１４】
図２は２連透過型フォトセンサ部１の外観例を示す図であり、図２（Ａ）は平面図、そして、図２（Ｂ）は図２（Ａ）のＡ-Ａ断面図である。図において、符号１３は第１発光素子１１１および第２発光素子１２１を収容する発光素子収容部、符号１４は第１受光素子１１２および第２受光素子１２２を収容する受光素子収容部、そして、符号１５はケースである。発光素子収容部１３および受光素子収容部１４は、その間を少なくともコインが通過できるたけの間隔Ｔだけ離れてケース本体１５に設けられている。また、第１発光素子１１１の発光部が第１受光素子１１２の受光部と対向し、第２発光素子１２１の発光部が第２受光素子１２２の受光部と対向するように、第１発光素子１１１および第２発光素子１２１が発光素子収容部１３に収容され、そして、第１受光素子１１２および第２受光素子１２２が受光素子収容部１４に収容されている。また、発光素子収容部１３には、第１発光素子１１１および第２発光素子１２１各々の発光部が出力する光が外部に出力されるように開口部１３１が形成されている。同様に、受光素子収容部１４には、外部からの光が第１受光素子１１２および第２受光素子１２２各々の受光部に入力されるように開口部１４１が形成されている。
【００１５】
図１に戻って説明を続ける。駆動部２は、第１透過型フォトセンサ１１の第１発光素子１１１を発光駆動する第１駆動部２１と、第２透過型フォトセンサ１２の第２発光素子１２１を発光駆動する第２駆動部２２と、を有する。第１駆動部２１は、第１発光素子１１１への供給電力をオン・オフすることにより、所定周期で点滅する変調光（第１変調光と呼ぶ）を第１発光素子１１１の発光部から出力させる。同様に、第２駆動部２２は、第２発光素子１２１への供給電力をオン・オフすることにより、第１変調光とは異なる周期で点滅する変調光（第２変調光）を第２発光素子１２１の発光部から出力させる。
【００１６】
図３は第１駆動部２１および第２駆動部２２がそれぞれ第１発光素子１１１および第２発光素子１２１に供給する供給電力の一例を示すタイムチャートである。ここで、第１発光素子１１１および第２発光素子１２１は、対応する駆動部２１、２１からの供給電力がオンのときに点灯し、オフのときに消灯する。図示するように、本実施形態では、第１駆動部２１および第２駆動部２２は、異なる周期およびパルス幅で供給電力をオン・オフする（２１１、２２１）。したがって、第１発光素子１１１が出力する第１変調光および第２発光素子１２１が出力する第２変調光はそれぞれ異なる周期およびパルス幅となる。
【００１７】
検出部３は、第１検出部３１と、第２検出部３２と、コイン検出部３３と、不正行為検出部３４と、を有する。
【００１８】
第１検出部３１は、第１透過型フォトセンサ１１の第１受光素子１１２から出力される受光信号を受信し、該受光信号が第１変調光に対応する受光信号（第１受光信号と呼ぶ）であるか否かを判断する。第１受光素子１１２から出力される受光信号が第１受光信号である場合は出力信号である第１検出信号をオンにする。一方、第１受光信号でない場合あるいは受光信号を出力していない場合は、第１検出信号をオフにする。
【００１９】
第２検出部３２は、第２透過型フォトセンサ１２の第２受光素子１２２から出力される受光信号を受信し、該受光信号が第２変調光に対応する受光信号（第２受光信号と呼ぶ）であるか否かを判断する。第２受光素子１２２から出力される受光信号が第２受光信号である場合は出力信号である第２検出信号をオンにする。一方、受光信号を出力していない場合は第２検出信号をオフにする。また、第２受光素子１２２から出力される受光信号が第２受光信号でない場合は不正検出信号を出力する。
【００２０】
コイン検出部３３は、第１検出部３１から出力される第１検出信号および第２検出部３２から出力される第２検出信号の状態に基づいて、コインの投入を検出する。
【００２１】
図４はコイン検出部３３の動作フロー図である。なお、このフロー図は、第１透過型フォトセンサ１１がコイン投入口側（手前側）に配置され、第２透過型フォトセンサ１２がコイン投入口側より奥側に配置されていることを前提としている。また、このフローは、当該フローの正常終了後、第１検出部３１および第２検出部３２のそれぞれから出力される第１検出信号、第２検出信号が共に所定時間オン状態となると、開始される。
【００２２】
先ず、コイン検出部３３は、第１検出信号がオン状態からオフ状態に変化すると（Ｓ４０１でＹＥＳ）、第２検出信号がオン状態からオフ状態に変化するのを待つ（Ｓ４０２）。第１の所定時間内（例えば０.５秒以内）に第２検出信号がオン状態からオフ状態に変化しなかった場合（Ｓ４０３でＹＥＳ）、コイン検出部３３は、誤動作あるいは不正行為の可能性があると判断し、警告音を出力するなどの所定のエラー処理を行い（Ｓ４０４）、その後、このフローを終了する。一方、第１の所定時間以内に第２検出信号がオン状態からオフ状態に変化した場合（Ｓ４０２でＹＥＳ）、コイン検出部３３は、第１検出信号がオフ状態からオン状態に変化するのを待つ（Ｓ４０５）。
【００２３】
第２の所定時間内（例えば１秒以内）に第１検出信号がオフ状態からオン状態に変化しなかった場合（Ｓ４０７でＹＥＳ）、あるいは、第１検出信号がオフ状態からオン状態に変化する前に、第２検出信号がオフ状態からオン状態に変化した場合（Ｓ４０６でＹＥＳ）、コイン検出部３３は、誤動作あるいは不正行為の可能性があると判断し、警告音を出力するなどの所定のエラー処理を行い（Ｓ４０８）、その後、このフローを終了する。一方、第２の所定時間以内に、第２検出信号がオフ状態からオン状態に変化するのに先立って、第１検出信号がオフ状態からオン状態に変化した場合（Ｓ４０５でＹＥＳ）、コイン検出部３３は、第２検出信号がオフ状態からオン状態に変化するのを待つ（Ｓ４０９）。
【００２４】
第３の所定時間内（例えば０.５秒以内）に第２検出信号がオフ状態からオン状態に変化しなかった場合（Ｓ４１０でＹＥＳ）、コイン検出部３３は、誤動作あるいは不正行為の可能性があると判断し、警告音を出力するなどの所定のエラー処理を行い（Ｓ４１１）、その後、このフローを終了する。一方、第３の所定時間以内に第２検出信号がオフ状態からオン状態に変化した場合（Ｓ４０９でＹＥＳ）、コイン検出部３３は、コインが１枚投入されたものと判断し、コイン投入数をカウントアップする（Ｓ４１２）。それから、コイン検出部３３は、第１検出信号がオン状態からオフ状態に変化するのを待つ（Ｓ４１３）。
【００２５】
第１検出信号がオン状態からオフ状態に変化する前に、第２検出信号がオン状態からオフ状態に変化した場合（Ｓ４１４でＹＥＳ）、コイン検出部３３は、誤動作あるいは不正行為の可能性があると判断し、警告音を出力するなどの所定のエラー処理を行い（Ｓ４１６）、その後、このフローを終了する。また、第４の所定時間以内（例えば５秒以内）に、第１検出信号がオン状態からオフ状態に変化しなかった場合（Ｓ４１４でＹＥＳ）、コイン検出部３３は、コイン投入数を確定するなどの正常終了処理を行い、このフローを終了する。一方、第４の所定時間以内に、第２検出信号がオン状態からオフ状態に変化するのに先立って、第１検出信号がオン状態からオフ状態に変化した場合（Ｓ４１３でＹＥＳ）、コイン検出部３３は、Ｓ４０２に戻って、第２検出信号がオフ状態からオン状態に変化するのを待つ。
【００２６】
図１に戻って説明を続ける。不正行為検出部３４は、第２検出部３２から不正検出信号を受信した場合に、不正行為の可能性があると判断し、警告音を出力するなどの所定のエラー処理を行う。
【００２７】
以上、本考案の一実施形態について説明した。
【００２８】
本実施形態によれば、第１透過型フォトセンサ１１および第２透過型フォトセンサ１２に、異なる所定周期で点滅する変調光を用いている。したがって、図５に示したような不正器具を用いた不正行為がなされた場合でも、該不正器具に埋設された発光素子がこの所定周期の変調光を出力しない限り、コイン投入の誤検出を防止できる。
【００２９】
また、上述のように、第１透過型フォトセンサ１１および第２透過型フォトセンサ１２に、異なる変調光を用いている。そのため、たとえ、２連透過型フォトセンサ部１の２つの透過型フォトセンサのうち、一方の透過型フォトセンサで用いられている変調光を、もう片方の透過型フォトセンサの受光部に投射しても、当該受光部は変調光を検出しない。したがって、本考案のコイン検知センサを搭載した自動販売機等に、不正行為を行おうとする者が、２連透過型フォトセンサ部１で用いられている２つの変調光のうち、１つの変調光を特定しただけでは、当該自動販売機等に当該不正行為によるコイン投入の誤検出を発生させることができない。
【００３０】
さらに、本実施形態によれば、第２検出部３２は、第２受光素子１２２から出力される受光信号が第２受光信号でない場合、不正検出信号を出力する。そして、当該不正検出信号を受信した不正行為検出部３４は、不正行為の可能性があると判断し、警告音を出力するなどの所定のエラー処理を行う。したがって、図５に示したような不正器具を用いた不正行為がなされた場合、該不正器具の発光素子５２が、第２透過型フォトセンサ１２に用いられている変調光を出力しない限り、警告音などによって、不正行為を検知することができる。
【００３１】
なお、本実施形態は上記の実施形態に限定されるものではなく、その要旨の範囲内で数々の変形が可能である。
【００３２】
例えば、上記の実施形態では、第１透過型フォトセンサ１１および第２透過型フォトセンサ１２の両方に変調光を用いているが、一方のフォトセンサにのみ変調光を用いるようにしてもよい。
【００３３】
また、上記の実施形態において、第１検出部３１が、第２検出部３２と同様に、第１透過型フォトセンサ１１から出力される受光信号が所定の変調光に応じた信号でない場合に、不正検出信号を不正行為検出部３４に出力してもよい。そして、不正行為検出部３４が、第１検出部３１および第２検出部３２のいずれかから不正検出信号を受信した場合に、不正行為の可能性があると判断し、警告音を出力するなどの所定のエラー処理を行うようにしてもよい。
【図面の簡単な説明】
【００３４】
【図１】図１は本考案の一実施形態が適用されたコイン検知センサの概略ブロック図である。
【図２】図２は図１に示す２連透過型フォトセンサ部１の外観例を示す図である。
【図３】図３は図１に示す第１駆動部２１および第２駆動部２２がそれぞれ第１発光素子１１１および第２発光素子１２１に供給する供給電力の一例を示すタイムチャートを示す図である。
【図４】図４は図１に示すコイン検出部３３の動作フロー図である。
【図５】図５は不正器具を示す図である。
【符号の説明】
【００３５】
１…２連透過型フォトセンサ部、２…駆動部、３…検出部、１１…第１透過型フォトセンサ、１２…第２透過型フォトセンサ、２１…第１駆動部、２２…第２駆動部、３１…第１検出部、３２…第２検出部、３３…コイン検出部、３４…不正行為検出部、１１１…第１発光素子、１１２…第１受光素子、１２１…第２発光素子、１２２…第２受光素子
【図１】
0003122278.tif 000003
【図２】
0003122278.tif 000004
【図３】
0003122278.tif 000005
【図４】
0003122278.tif 000006
【図５】
0003122278.tif 000007